(57)【特許請求の範囲】
【請求項１】
本体部と取手部とを連接して形成され、遊技媒体を回収する遊技媒体収拾機において、
前記本体部は、下部前方に開口部と、下部後方に遊技媒体収納部とが備えられ、上部後方には送風供給装置を備え、送風供給装置から上方前方に向けて送風する送風通路を備え、送風通路は先端を下方内側方向に向けて吹き出す吹出口を形成し、前記取手部に設けた操作部の操作によって送風手段を作動させると共に、床面に散在する遊技媒体が開口部より収集され、吹出口から開口部に向けて噴出される送風により遊技媒体を吹き跳ばして遊技媒体収納部に収納する構成としたことを特徴とする遊技媒体収拾機。
【請求項２】
上記本体部及び上記送風通路に床面が透けて見えるような透明窓を設けると共に、該本体部の開口部より前方に床面に散在する遊技媒体を開口部に導く収集案内部を設けたことを特徴とする請求項１記載の遊技媒体収拾機。
【請求項３】
上記遊技媒体収納部が該本体部から挿脱することが可能な構成と成していることを特徴とする請求項１及び請求項２記載の遊技媒体収拾機。
【発明の詳細な説明】
【０００１】
【発明の属する技術分野】
本発明は、遊技店やゲームセンター等の娯楽施設において遊技機で使用する遊技媒体（メダル類又はパチンコ玉）等が床面等に零れ落ちていた場合、それらの遊技媒体を店員が手で拾うことなく容易に拾い上げることが出来る遊技媒体収拾機に関する。
【０００２】
【従来の技術】
従来、遊技店やゲームセンター等において設置された遊技機（スロットマシン）においては遊技媒体としてメダル類を購入して該遊技機の投入口に一枚づつ手によって投入して遊技している。該遊技機の投入口に投入する際、メダル類の遊技媒体が投入口から離脱したり、誤って手から零れ落ちてしまうことがあり、床面等に落ちたまま放置されたり、零れ落ちた遊技媒体が床面等に散乱している場合がある。また、零れ落ちた遊技媒体を店員が拾う際においても遊技機の底部付近は空間が狭く、さらに遊技媒体自体も薄く小さい為手で拾うのは面倒で非常に拾い難かった。
【０００３】
そこで、床面等に零れ落ちた遊技媒体を拾う装置（器具）が種々提供されている。例えば、塵取りと箒状の回収器具のものとして提案されている実開平４−６５５９１号公報やゴムローラー式の回収器具のものとして提案されている特開平６−６３２４３号公報のものが既に提供されている。これら該塵取りと箒状の回収器具やゴムローラー式の回収器具を操作して床面等に零れ落ちた遊技媒体を拾っている。
【０００４】
【発明が解決しようとする課題】
しかしながら、本来なら遊技中に零れ落ちた遊技媒体は、その遊技媒体を落とした本人が拾うものであるが、お客は遊技に夢中で拾うことすらしない場合がある。こういった場合は遊技店の店員等がサービスの一環として店内の清掃を兼ねて遊技媒体を拾い上げる作業を行っている。該作業においては床面等に零れ落ちた遊技媒体をお客の間をぬってかがみ込んで拾い上げるため、遊技中のお客の間を作業するに至っては遊技の邪魔をすることなってしまう。さらに、遊技店内が広く、遊技機のスロットマシンの設置台数が多ければそれだけ回収する作業も増え、労力を要してしまっていた。
【０００５】
また、先に提供された塵取りと箒による回収器具とゴムローラー式による回収器具においては遊技店より下記の課題が指摘されていた。先ず、塵取りと箒による回収器具においては、確実に遊技媒体を拾い上げるには、箒をうまく両手で操作してなくてはならず女性店員においは作業がし難く、回収した後の処理が面倒であった。さらに、ゴムローラー式による回収器具においてはゴムローラーを稼動させて片手で操作して遊技媒体を回収するが、ゴムローラーの手入れを頻繁に行わなくてはならず、また、構造上、幅を有しているため狭い場所までは入り込むことが出来ず、効力を発揮していなかった。
【０００６】
本発明の目的は、床面等に落ちた遊技媒体を回収する際、片手で簡単に本体部を操作し、短時間のうちに効率良く遊技媒体を拾い上げ、手を汚すことなく回収することが出来る遊技媒体収拾機を提供することにある。
【０００７】
【課題を解決するための手段】
本発明の請求項１記載の遊技媒体収拾機は、遊技媒体を回収する遊技媒体収拾機に於いて、該遊技媒体収拾機は、前方に開口部を有した本体部と取手部とを連接して形成され、該本体部の内部には送風手段と、該送風手段からの送風を吹き出す吹出口と、吹出口の一端に遊技媒体収納部とを設け、前記取手部に設けた操作部の操作によって該送風手段が作動し、床面等に落ちている遊技媒体に送風を吹きかけて前記遊技媒体収納部に遊技媒体を収納する構成としたものである。
【０００８】
このため、本体部の前方の開口部から床面等に零れ落ちている遊技媒体を確実に開口部内に導き、操作部の動作スイッチを押すことで送風手段の送風供給装置が作動し、送風供給装置からの送風が吹出口から噴射され、遊技媒体が傾斜部方向に弾き飛ばされ傾斜部を乗り越えて遊技媒体収納部内に収納させることが出来る。よって、床面等に零れ落ちている遊技媒体を回収する際は、片手で簡単に本体部を操作し、短時間のうちに効率良く遊技媒体を拾い上げて回収することが出来る。
【０００９】
また、本発明の請求項２記載の遊技媒体収拾機は、請求項１記載の遊技媒体収拾機において、上記本体部及び上記送風通路に床面が透けて見えるような透明窓を設けると共に、該本体部の開口部より前方に床面に散在する遊技媒体を開口部に導く収集案内部を設けたものである。
【００１０】
このため、円板状体のメダル類又は硬貨類を円板状体搬送装置の搬送フレーム内に乗載している搬送する途中において撓んだ生じた隙間から円板状体のメダル類又は硬貨類が無端ベルトの裏面に侵入して（潜り込んで）も、搬送方向の他端側のプーリの直前の任意の位置に設けた開口部の山形状の傾斜部の斜面から側壁に設けた円板状体排出口から滑り落ち、該円板状体排出口から円板状体搬送装置の外部に排出されるためプーリ側に搬送されることがなくなる。従って、無端ベルトの裏面に侵入した円板状体のメダル類又は硬貨類のために無端ベルトが損傷、切断したりすることなく、プーリも破損せず、駆動モータが焼損したりするトラブル（故障）が未然に防止される。よって、円板状体搬送装置によるトラブルが完全になくなり、遊技台又は遊技媒体貸出機も使用中止にすることなく、修復するにあたっても顧客に離席してもらう等、顧客に迷惑をかけることがなく営業することが出来る。
【００１１】
また、本発明の請求項３記載の遊技媒体収拾機は、請求項１又は請求項２記載の遊技媒体収拾機に於いて、上記遊技媒体収納部が該本体部から挿脱することが可能な構成と成しているものである。
【００１２】
このため、上記に加えて遊技媒体収納部が本体部から挿脱する構成と成っているため、遊技媒体収納部内に収納した遊技媒体を手を汚すことなく処理することが出来る。
【００１５】
【実施例】
以下、本発明の一実施例を詳細に説明する。図１は、本発明の遊技媒体収拾機１の外観斜視図を示したものである。尚、ここでの遊技媒体収拾機１は、遊技媒体としてメダル類Ｍを拾うものとして説明するが、メダル類Ｍ以外にもコインや硬貨等も拾うことが出来、さらにパチンコ玉も拾うことが出来る。
【００１６】
遊技媒体収拾機１の構成について説明する。該遊技媒体収拾機１は、本体部１０と長手方向円筒状から成る取手部２０とが連接された形成と成している。先ず、取手部２０の構成について説明する。該取手部２０は本体部１０の後方寄りの位置に連接され、長手方向円筒状から成り、斜め後方に伸びて人間が立った状態で持ちながら操作することが可能な長さに形成されている。さらに該取手部２０の長手方向円筒状の斜め後方の終端位置付近を水平状と成すように折り曲げた水平部２１ａに動作スイッチ２１ｂ（操作部）が設けられている。該操作部２１ｂの操作によって後述する送風手段の送風供給装置１４ａが電源制御部２１ｃを介して作動するのである。尚、ここでは取手部２０は本体部１０とが連接された説明としたが不使用の時は収納する際、取手部２０が邪魔になるので取り外し可能にしても良い。
【００１７】
次に、本体部１０の構成について説明する。図１乃至図４に示すように本体部１０の前方には両端に誘導板１１ｃと開口した開口部１１ａとが設けられ、内部前方位置側の開口部１１ａから入り込んだ遊技媒体Ｍは誘導板１１ｃに沿って中央より傾斜部１１ｂに導かれる。該傾斜部１１ｂの一端（後方）の位置に遊技媒体収納部であるメダル類収納部３０が設けられている。該誘導板１１ｃと傾斜部１１ｂを設けることによって遊技媒体Ｍを拾い易くし、メダル類収納部３０内に入り易くさせている。
【００１８】
該メダル類収納部３０は、略長方体から形成されたものであり、底面板３１ｂと、周囲に前面板３１aと２枚の側面板３１ｃと背面板３１ｄとで一体的に形成されている。そして、該メダル類収納部３０は、本体部１０から挿脱する構成と成っている（図１又は図２参照）。該メダル類収納部３０は、背面に設けられた握持部３２を持って本体部１０の後方に滑動させることで挿脱することが出来るため、メダル類収納部３０内に収納した遊技媒体Ｍを手を汚すことなく処理することが出来る。尚、該メダル類収納部３０が収納された遊技媒体Ｍの重みで滑動しないように滑動防止手段として本体部１０背面等に止め金（図示せず）を取り付けることも可能である。
【００１９】
さらに、本体部１０の底部には移動手段である例えば車輪１５が前後二個づつ計四個が軸によって回動するように取付けられている。このため、女性店員であっても簡単に移動又は操作することが出来、狭い場所であっても入り込み拾うことが出来る。
【００２０】
また、本体部１０の内部の傾斜部１１ｂの前方の位置であって底面より多少高い位置に設けられた吹出口１４ｄが設けられている。該吹出口１４ｄは後述する送風手段としての送風供給装置１４aからの送風（空気）を吹き出すところである。さらに本体部１０内部には送風手段としての送風供給装置１４aが遊技媒体収納部３０の上部に設けてあり、操作部の動作スイッチ２１ｂの操作により送風供給装置１４aが作動し、本体背面且つ送風供給装置１４aの背面にある吹込口１４ｂから空気を吸引し、送風供給装置１４aから供給された送風は送風通路１４cを通って開口部１１a中央の床より多少高い位置に設けられた吹出口１４dから噴射されるのである。
【００２１】
このため、本体部１０の前方の開口部１１ａから床面等に零れ落ちている遊技媒体Ｍを確実に開口部１１ａ内に導き、動作スイッチ２１ｂを押すことで送風手段の送風供給装置１４aが作動し、送風供給装置１４aからの送風が吹出口１４ｄから噴射され、遊技媒体Ｍが傾斜部方向に弾き飛ばされ傾斜部１１ｂを乗り越えてメダル類収納部３０内に収納させることが出来る。
【００２２】
次に、他の実施例の遊技媒体収拾機２の構成を図２に基づいて説明する。該遊技媒体収拾機２の構成について説明するが概略の構成は上記した遊技媒体収拾機１と略同様なので一部同一の符号を用いている。該遊技媒体収拾機２は、本体部１０と長手方向円筒状から成る取手部２０とが連接された形成と成している。先ず、取手部２０の構成について説明する。該取手部２０は本体部１０の後方寄りの位置に連接され、長手方向円筒状から成り、斜め後方に伸びて人間が立った状態で持ちながら操作することが可能な長さに形成されている。さらに該取手部２０の長手方向円筒状の斜め後方の終端位置付近を水平状と成すように折り曲げた水平部２１ａに動作スイッチ２１ｂ（操作部）が設けられている。該操作部２１ｂの操作によって後述する送風手段の送風供給装置１４ａが電源制御部２１ｃを介して作動するのである。
【００２３】
次に、本体部１０の構成について説明する。図２に示すように本体部１０の前方には両端前方が幾分突出した幅広（略チュウリップ形状）の収集案内部１２が設けられ、送風通路１４cの上面に略矩形状の透明窓１３が設けられて、収集案内部１２の内部に入った遊技媒体Ｍの状況を目視できるように設けられている。また、内部前方位置側の収集案内部１２の中央よりに傾斜部１１ｂが設けられ、該傾斜部１１ｂの一端（後方）の位置にメダル類収納部３０が設けられている。該傾斜部１１ｂを設けることによって遊技媒体Ｍを拾い易くし、メダル類収納部内に３０入り易くさせている。
【００２４】
該メダル類収納部３０は、略長方体から形成されたものであり、底面板３１ｂと、周囲に前面板３１aと２枚の側面板３１ｃと背面板３１ｄとで一体的に形成されている。そして、該メダル類収納部３０は、本体部１０から挿脱する構成と成っている（図２参照）。該メダル類収納部３０は、背面に設けられた握持部３２を持って本体部１０の後方に滑動させることで挿脱することが出来るため、メダル類収納部３０内に収納した遊技媒体Ｍを手を汚すことなく処理することが出来る。尚、該メダル類収納部３０が収納された遊技媒体Ｍの重みで滑動しないように滑動防止手段として本体部１０背面等に止め金（図示せず）を取り付けることも可能である。
【００２５】
また、本体部１０の内部の傾斜部１１ｂの前方の位置であって底面より多少高い位置に吹出口１４ｄが設けられている。該吹出口１４ｄは後述する送風手段としての送風供給装置１４ａからの送風（空気）を吹き出すところである。さらに本体部１０内部には送風手段としての送風供給装置１４ａがメダル類収納部３０の上部に設けてあり、操作部の動作スイッチ２１ｂの操作により送風供給装置１４ａが作動し、本体背面且つ送風供給装置１４ａの背面にある吹込口１４ｂから空気を吸引し、送風供給装置１４ａから供給された送風は送風通路１４ｃを通って収集案内部１２の中央の床より多少高い位置に設けられた吹出口１４ｄから噴射されるのである。
【００２６】
このため、本体部１０の前方の位置に幾分突出した幅広（略チュウリップ形状）の収集案内部１２から床面等に零れ落ちている遊技媒体Ｍを透明窓１３から目視して確実に収集案内部１２内に導き、動作スイッチ２１ｂを押すことで送風手段の送風供給装置１４aが作動し、送風供給装置１４aからの送風が吹出口１４ｂから噴射され、遊技媒体Ｍが傾斜部方向に弾き飛ばされ傾斜部１１ｂを乗り越えてメダル類収納部３０内に収納させることが出来る。
【００２７】
さらに、本体部１０の底部には移動手段である例えば車輪１５が前後二個づつ計四個が軸によって回動するように取付けられている。このため、女性店員であっても簡単に移動又は操作することが出来、狭い場所であっても入り込み拾うことが出来るように成っている。
【００２８】
【発明の効果】
本発明の請求項１記載の遊技媒体収拾機によれば、本体部の前方の開口部から床面等に零れ落ちている遊技媒体を確実に開口部内に導き、操作部の動作スイッチを押すことで送風手段の送風供給装置が作動し、送風供給装置からの送風が吹出口から噴射され、遊技媒体が傾斜部方向に弾き飛ばされ傾斜部を乗り越えて遊技媒体収納部内に収納させることが出来る。よって、床面等に零れ落ちている遊技媒体を回収する際は、片手で簡単に本体部を操作し、作業は腰を曲げずに作業が出来、短時間のうちに効率良く遊技媒体を拾い上げて回収することが出来る効果を有している。
【００２９】
本発明の請求項２記載の遊技媒体収拾機によれば、本体部の前方の開口部から床面等に零れ落ちている遊技媒体を透明窓で確認した後開口部内に導き、操作部の動作スイッチを押すことで送風手段の送風供給装置が作動し、送風供給装置からの送風が吹出口から噴射され、遊技媒体が傾斜部方向に弾き飛ばされ傾斜部を乗り越えて後方に設けた遊技媒体収納部内に収納させることが出来る。よって、床面等に落ちている遊技媒体を回収する際は、片手で簡単に本体部を操作し、作業は腰を曲げずに作業が出来、短時間のうちに効率良く遊技媒体を拾い上げて回収することが出来る。効果を有している。
【００３０】
本発明の請求項３記載の遊技媒体収拾機によれば、上記に加えて遊技媒体収納部が本体部から挿脱する構成と成っているため、遊技媒体収納部内に収納した遊技媒体を手を汚すことなく処理することが出来るので衛生面でも効果がある。
【００３１】
本発明の請求項４記載の遊技媒体収拾機によれば、上記に加えて本体部の底部に設けられた移動手段の車輪により女性店員であっても簡単に移動又は操作することが出来、狭い場所であっても入り込み拾うことが出来る。
【図面の簡単な説明】
【図１】本発明の遊技媒体収拾機を示す外観斜視図である。
【図２】本発明の遊技媒体収拾機の他の実施例を示す外観斜視図である。
【図３】本発明の遊技媒体収拾機における側面断面図である。
【図４】本発明の遊技媒体収拾機における上面部分断面図である。
【符号の説明】
１      遊技媒体収拾機
２      遊技媒体収拾機（他の実施例）
１０    本体部
１１a   開口部
１２    収集案内部
１３    透明窓
１４a   送風供給装置（送風手段）
１４d   吹出口
１５    車輪（移動手段）
２０    取手部
２１b   動作スイッチ（操作部）
３０    遊技媒体収納部
【図１】
0004472810.tif 000002
【図２】
0004472810.tif 000003
【図３】
0004472810.tif 000004
【図４】
0004472810.tif 000005